(57)【要約】      （修正有） 【課題】測量したデータを読み取るための特定のソフトウエアのインストールを必要とせず、またコンピュータと信号伝送ケーブルなどで接続することなく使用できるモバイルタイプの測量装置を提供する。【解決手段】装置本体にディスプレィ１０と、センサー４０と、ＳＤメモリカードを挿入するメモリカードスロット７０と、及び複数のキーなどを具え、かつ装置内部にマイクロプロセッサーと、センサ回路と、メモリカードドライバー駆動回路とを具え、マイクロプロセッサーは、ディスプレー１０と、メモリカードドライバー駆動回路と、センサ回路とに電気的に接続し、センサ回路はセンサー４０に電気的に接続する。複数のキーは電源に電気的に接続して開閉を制御するとともに、必要においてディスプレー１０の表示モードの選択などを行う。【選択図】図１
0003151214.tif 000002
【実用新案登録請求の範囲】
【請求項１】
装置本体にディスプレィと、複数のキーと、センサーを具えるモバイルタイプの測量装置であって、
該装置本体にＳＤメモリカードの挿入に供するメモリカードスロットを具え、かつ装置内部にマイクロプロセッサーと、センサ回路と、メモリカードドライバー駆動回路を具えることを特徴とするモバイルタイプの測量装置。
【請求項２】
前記ＳＤメモリカードのデータファイルフォーマットがMicrosoft
Excelプログラムで直接読み取ることができるフォーマットであることを特徴とする請求項１に記載のモバイルタイプの測量装置。
【請求項３】
前記測量装置の応用範囲に湿度 (Humidity)、電圧(Voltage)、電流(Current)、温度(Temperature)、パワー(Power)、音量(Sound
level)、圧力(Pressure)、気圧(Barometer)、pH値、電導度(Conductivity)、磁場(Magnetic)、電磁場(Electro
magnetic field)、一酸化炭素(Carbon monoxide)、二酸化炭素(Carbon dioxide)、振動（Vibration）、回転速度（RPM）、水分（Moisture）、塩素（Chlorine）、濁りの度合い（Turbidity）、酸素（Oxygen）、もしくは風速（Air
Velocity）などの測定が含まれることを特徴とする請求項１に記載のモバイルタイプの測量装置。
【考案の詳細な説明】
【技術分野】
【０００１】
この考案は測量装置に関し、特にコンピュータによって測量したデータを読み取る小型の測量装置に関する。
【背景技術】
【０００２】
従来のモバイルタイプの小型測量装置は、信号出力ポートを具え、環境測量を行う場合にコンピュータと合せ用い、伝送ケーブルなどでコンピュータと接続して測量装置が測量した情報を分析して読み取る。コンピュータには特定のソフトウエアをインストールしなければ、採集したデータをコンピュータに送信することができない。よって、極めて不便であって、改善が望まれる。
【考案の開示】
【考案が解決しようとする課題】
【０００３】
この考案は、測量したデータを読み取るための特定のソフトウエアのインストールを必要とせず、またコンピュータと信号伝送ケーブルなどで接続することなく使用できるモバイルタイプの測量装置を提供することを課題とする。
【課題を解決するための手段】
【０００４】
そこで、本考案者は従来の装置に見られる欠点に鑑み鋭意研究を重ねた結果、SDメモリカードなどのメモリカードを記録媒体として測量データを保存する機能を有する測量装置によって課題を解決できる点に着眼し、かかる知見に基づいて本考案を完成させた。
【０００５】
以下、この考案について具体的に説明する。
請求項１に記載するモバイルタイプの測量装置は、装置本体にディスプレィと、複数のキーと、センサーを具えるモバイルタイプの測量装置であって、
該装置本体にＳＤメモリカードの挿入に供するメモリカードスロットを具え、かつ装置内部にマイクロプロセッサーと、センサ回路と、メモリカードドライバー駆動回路を具える。
【０００６】
上述する構成によれば、信号伝送ケーブルなどで測量装置とコンピュータとを接続して測量データの読み取りを行う必要がないため、取り扱いが便利になる。
【０００７】
請求項２に記載するモバイルタイプの測量装置は、請求項１におけるＳＤメモリカードのデータファイルフォーマットがMicrosoft Excelプログラムで直接読み取ることができるフォーマットである。
【０００８】
したがって、この考案による測量装置で測量したデータをコンピュータで読み取る場合、専用の特殊なプログラムをコンピュータにインストール必要がなくなる。
【０００９】
請求項３に記載するモバイルタイプの測量装置は、請求項１における測量装置の応用範囲に湿度 (Humidity)、電圧(Voltage)、電流(Current)、温度(Temperature)、パワー(Power)、音量(Sound
level)、圧力(Pressure)、気圧(Barometer)、pH値、電導度(Conductivity)、磁場(Magnetic)、電磁場(Electro
magnetic field)、一酸化炭素(Carbon monoxide)、二酸化炭素(Carbon dioxide)、振動（Vibration）、回転速度（RPM）、水分（Moisture）、塩素（Chlorine）、濁りの度合い（Turbidity）、酸素（Oxygen）、もしくは風速（Air
Velocity）などの測定が含まれる。
【考案の効果】
【００１０】
この考案による測量装置は、測量したデータを読み取るための特定のソフトウエアのインストールを必要とせず、またコンピュータと信号伝送ケーブルなどで接続することなく使用できるため、取り扱いが便利になるという利点を有する。
【考案を実施するための最良の形態】
【００１１】
この考案は、測量したデータを読み取るための特定のソフトウエアのインストールを必要とせず、またコンピュータと信号伝送ケーブルなどで接続することなく使用できるモバイルタイプの測量装置を提供するものであって、例えばＳＤメモリカードなどの記憶媒体を介して測量したデータをコンピュータで読み取るように構成する。
かかる測量装置の構造と特徴を説明するために、具体的な実施例を挙げ、図面を参照にして以下に説明する。
【００１２】
図１、２に、この考案の実施の形態を開示する。この考案によるモバイルタイプの測量装置は、装置本体にディスプレィ１０と、センサー４０と、ＳＤメモリカード６０と、メモリカードスロット７０と、及び複数のキーなどを具え、かつ装置内部にマイクロプロセッサーサー２０と、センサ回路３０と、メモリカードドライバー駆動回路５０とを具える。
【００１３】
この考案による測量装置を使用する場合、メモリカードスロット７０にＳＤメモリカード６０を外部から挿入し、測量装置のセンサー４０によって測量を行いデータを得る。得られたデータと、測量した時間は、直接ＳＤメモリカーと６０に保存する。
【００１４】
ＳＤメモリカード６０に記録されるデータのファイルフォーマットは、Microsoft Excelなどのプログラムで直接読み取れるフォーマットとする。
【００１５】
測量したデータの保存が終了した後は、ＳＤメモリカード６０を抜いてコンピュータのカードリーダーに挿入するだけで、コンピュータのExcel等のプログラムで直接読み取り、さらに一歩進んだデータ分析を行うことができる。
【００１６】
したがって、従来の測量装置のように信号伝送ケーブルを介してコンピュータに接続する必要がなく、測量地点で測量を行際に発生する不便を解消することができる。
【００１７】
この考案による測量装置の応用範囲には、湿度
(Humidity)、電圧(Voltage)、電流(Current)、温度(Temperature)、パワー(Power)、音量(Sound level)、圧力(Pressure)、気圧(Barometer)、pH値、電導度(Conductivity)、磁場(Magnetic)、電磁場(Electro
magnetic field)、一酸化炭素(Carbon monoxide)、二酸化炭素(Carbon dioxide)、振動（Vibration）、回転速度（RPM）、水分（Moisture）、塩素（Chlorine）、濁りの度合い（Turbidity）、酸素（Oxygen）、もしくは風速（Air
Velocity）などの測定が含まれるである。
【図面の簡単な説明】
【００１８】
【図１】この考案による測量装置の外観を示した斜視図である。
【図２】この考案による測量装置の構造を示したブロック図である。
【符号の説明】
【００１９】
１０     ディスプレィ
２０     マイクロプロセッサー
３０     センサ回路
４０     センサー
５０     モリカードドライバー駆動回路
６０     ＳＤメモリカード
７０     メモリカードスロット
【図１】
0003151214.tif 000003
【図２】
0003151214.tif 000004
【手続補正書】
【提出日】平成21年4月7日(2009.4.7)
【手続補正１】
【補正対象書類名】実用新案登録請求の範囲
【補正対象項目名】全文
【補正方法】変更
【補正の内容】
【実用新案登録請求の範囲】
【請求項１】
装置本体にディスプレィと、複数のキーと、センサーを具えるモバイルタイプの測量装置であって、
該装置本体にＳＤメモリカードの挿入に供するメモリカードスロットを具え、かつ装置内部にマイクロプロセッサーと、センサ回路と、メモリカードドライバー駆動回路を具え、該マイクロプロセッサは、該ディスプレーと、該メモリカードドライバー駆動回路と、該センサ回路とに電気的に接続し、該センサ回路は該センサーに電気的に接続し、該複数のキーは電源に電気的に接続して開閉を制御するとともに、必要において該ディスプレーの表示モードの選択などを行うことを特徴とするモバイルタイプの測量装置。
【請求項２】
前記ＳＤメモリカードのデータファイルフォーマットがMicrosoft Excel（登録商標）プログラムで直接読み取ることができるフォーマットであることを特徴とする請求項１に記載のモバイルタイプの測量装置。
【請求項３】
前記測量装置が湿度 (Humidity)、電圧(Voltage)、電流(Current)、?度(Temperature)、パワー(Power)、音量(Sound level)、圧力(Pressure)、気圧(Barometer)、pH値、電導度(Conductivity)、磁場(Magnetic)、電磁場(Electro magnetic field)、一酸化炭素(Carbon monoxide)、二酸化炭素(Carbon dioxide)、振動（Vibration）、回転速度（RPM）、水分（Moisture）、塩素（Chlorine）、濁りの度合い（Turbidity）、酸素（Oxygen）、もしくは風速（Air Velocity）などの測定に応用することを特徴とする請求項１に記載のモバイルタイプの測量装置。
【手続補正２】
【補正対象書類名】明細書
【補正対象項目名】０００５
【補正方法】変更
【補正の内容】
【０００５】
以下、この考案について具体的に説明する。
請求項１に記載するモバイルタイプの測量装置は、装置本体にディスプレィと、複数のキーと、センサーを具えるモバイルタイプの測量装置であって、
該装置本体にＳＤメモリカードの挿入に供するメモリカードスロットを具え、かつ装置内部にマイクロプロセッサーと、センサ回路と、メモリカードドライバー駆動回路を具え該マイクロプロセッサは、該ディスプレーと、該メモリカードドライバー駆動回路と、該センサ回路とに電気的に接続し、該センサ回路は該センサーに電気的に接続し、該複数のキーは電源に電気的に接続して開閉を制御するとともに、必要において該ディスプレーの表示モードの選択などを行う。
【手続補正３】
【補正対象書類名】明細書
【補正対象項目名】０００７
【補正方法】変更
【補正の内容】
【０００７】
請求項２に記載するモバイルタイプの測量装置は、請求項１におけるＳＤメモリカードのデータファイルフォーマットがMicrosoft Excel（登録商標）プログラムで直接読み取ることができるフォーマットである。
【手続補正４】
【補正対象書類名】明細書
【補正対象項目名】０００９
【補正方法】変更
【補正の内容】
【０００９】
請求項３に記載するモバイルタイプの測量装置は、請求項１における測量装置であって、湿度 (Humidity)、電圧(Voltage)、電流(Current)、?度(Temperature)、パワー(Power)、音量(Sound level)、圧力(Pressure)、気圧(Barometer)、pH値、電導度(Conductivity)、磁場(Magnetic)、電磁場(Electro magnetic field)、一酸化炭素(Carbon monoxide)、二酸化炭素(Carbon dioxide)、振動（Vibration）、回転速度（RPM）、水分（Moisture）、塩素（Chlorine）、濁りの度合い（Turbidity）、酸素（Oxygen）、もしくは風速（Air Velocity）などの測定に応用できる。
【手続補正５】
【補正対象書類名】明細書
【補正対象項目名】００１２
【補正方法】変更
【補正の内容】
【００１２】
図１、２に、この考案の実施の形態を開示する。この考案によるモバイルタイプの測量装置は、装置本体にディスプレィ１０と、センサー４０と、ＳＤメモリカード６０を挿入するメモリカードスロット７０と、及び複数のキーなどを具え、かつ装置内部にマイクロプロセッサーサー２０と、センサ回路３０と、メモリカードドライバー駆動回路５０とを具え、  図２に開示するように、マイクロプロセッサ２０は、ディスプレー１０と、メモリカードドライバー駆動回路５０と、センサ回路３０とに電気的に接続し、センサ回路３０はセンサー４０に電気的に接続する。複数のキーは電源（図示しない）に電気的に接続して開閉を制御するとともに、必要においてディスプレー１０の表示モードの選択などを行う。
【手続補正６】
【補正対象書類名】明細書
【補正対象項目名】００１３
【補正方法】変更
【補正の内容】
【００１３】
この考案による測量装置を使用する場合、メモリカードスロット７０にＳＤメモリカード６０を外部から挿入し、測量装置のセンサー４０によって測量を行いデータを得る。得られたデータと、測量した時間は、直接ＳＤメモリカード６０に保存する。
【手続補正７】
【補正対象書類名】明細書
【補正対象項目名】００１４
【補正方法】変更
【補正の内容】
【００１４】
ＳＤメモリカード６０に記録されるデータのファイルフォーマットは、Microsoft Excel（登録商標）などのプログラムで直接読み取れるフォーマットとする。
【手続補正８】
【補正対象書類名】明細書
【補正対象項目名】００１５
【補正方法】変更
【補正の内容】
【００１５】
測量したデータの保存が終了した後は、ＳＤメモリカード６０を抜いてコンピュータのカードリーダーに挿入するだけで、コンピュータのMicrosoft Excel（登録商標）等のプログラムで直接読み取り、さらに一歩進んだデータ分析を行うことができる。
【手続補正９】
【補正対象書類名】明細書
【補正対象項目名】００１７
【補正方法】変更
【補正の内容】
【００１７】
この考案による測量装置は、湿度 (Humidity)、電圧(Voltage)、電流(Current)、?度(Temperature)、パワー(Power)、音量(Sound level)、圧力(Pressure)、気圧(Barometer)、pH値、電導度(Conductivity)、磁場(Magnetic)、電磁場(Electro magnetic field)、一酸化炭素(Carbon monoxide)、二酸化炭素(Carbon dioxide)、振動（Vibration）、回転速度（RPM）、水分（Moisture）、塩素（Chlorine）、濁りの度合い（Turbidity）、酸素（Oxygen）、もしくは風速（Air Velocity）などの測定に応用することができる。
【手続補正１０】
【補正対象書類名】明細書
【補正対象項目名】００１９
【補正方法】変更
【補正の内容】
【００１９】
１０ ディスプレィ
２０ マイクロプロセッサー
３０ センサ回路
４０ センサー
５０ メモリカードドライバー駆動回路
６０ ＳＤメモリカード
７０ メモリカードスロット